(57)【要約】      （修正有）【課題】入紙モードと退紙モードに共に適用可能としたシュレッダーの気嚢式駆動遅延停止装置の提供。【解決手段】駆動遅延停止装置は座体上に架設され並びにシュレッダー上カバー入紙口の下方内側に設けられ、該駆動遅延停止装置はマイクロスイッチ、回転式駆動装置、押し板及び気嚢装置を具え、該回転式駆動装置は偏心軸で軸座に設置され、押し板の一端がマイクロスイッチのバネに嵌合され、別端が気嚢封閉端の接続頸部に嵌合され、押し板が回転式駆動装置の押動を受ける時、その一端がバネを駆動してマイクロスイッチを駆動し、もう一端が内向きに気嚢に対して加圧し、気嚢の空気を迅速に外向きに排出させ、マイクロスイッチのバネの回復弾力及び気嚢の圧縮後の回復力が回転式駆動装置を駆動する時、空気がゆっくりと気嚢に進入し、気嚢がもとの容積に回復する時間を延長し、バネのマイクロスイッチより離脱する時間を遅延してシュレッダーの駆動モータを続けて作動させて砕紙屑を排除させる。【選択図】図１
0003106293.tif 000002
【実用新案登録請求の範囲】
【請求項１】
シュレッダーの気嚢式駆動遅延停止装置において、該気嚢式駆動遅延停止装置は座体上に架設され並びにシュレッダー上カバー入紙口の下方内側に設けられ、該気嚢式駆動遅延停止装置はマイクロスイッチ、回転式駆動装置、押し板及び気嚢装置を具え、該回転式駆動装置は偏心軸で軸座に設置され、押し板の一端がマイクロスイッチのバネに嵌合され、別端が気嚢封閉端の接続頸部に嵌合され、押し板が回転式駆動装置の押動を受ける時、その一端がバネを駆動してマイクロスイッチを駆動し、もう一端が内向きに気嚢に対して加圧することを特徴とする、シュレッダーの気嚢式駆動遅延停止装置。
【請求項２】
請求項１記載のシュレッダーの気嚢式駆動遅延停止装置において、偏心軸で軸座に設置される回転式駆動装置の前後に凸部が形成されたことを特徴とする、気嚢式駆動遅延停止装置。
【請求項３】
請求項２記載のシュレッダーの気嚢式駆動遅延停止装置において、回転式駆動装置の前方の凸部が入紙口下方に位置し、後方の凸部が押し板外側辺に当接されたことを特徴とする、気嚢式駆動遅延停止装置。
【請求項４】
請求項１記載のシュレッダーの気嚢式駆動遅延停止装置において、気嚢装置が蛇腹管式機能、中空式ゴムプラグ及び膜片を具え、該中空式ゴムプラグがその頭部を以て気嚢シートの貫通孔内に設置され、該中空式ゴムプラグの管体が気嚢開放端の接続頸部に嵌合され、気嚢が中空式ゴムプラグと貫通孔を通して外界と空気流通管路を形成し、膜片が固定ピンで気嚢シートの貫通孔の外側に設置されて上述の空気流通管路を遮蔽することを特徴とする、気嚢式シュレッダーの駆動遅延停止装置。
【考案の詳細な説明】
【技術分野】
【０００１】
本考案は一種のシュレッダーの気嚢式駆動遅延停止装置に係り、特に、気嚢開放端の膜片の、気嚢圧縮後の回復過程での空気吸入に対する阻止作用により、気嚢回復時間を延長し、マイクロスイッチのオフタイミングを遅延させ、カッタ間に挟まれた砕紙をシュレッダー駆動モータの継続動作により排出させる目的を達するシュレッダーの気嚢式駆動遅延停止装置に関する。
【背景技術】
【０００２】
特許文献１に記載のシュレッダーの駆動遅延停止装置（ｄｅｌａｙ  ｄｒｉｖｅ−ｈａｎｇｉｎｇ  ｄｅｖｉｃｅ  ｏｆ  ａ  ｐａｐｅｒ  ｓｈｒｅｄｄｅｒ）は、シュレッダー内に遅延装置が設けられ、ロータリーシャフトが粉砕完成後にモータを短時間続けて運転させて、ロータリーシャフト間に挟まれた砕紙をロータリーシャフトの空転により排出させる目的を達成している。それはロータリーシャフトにプーリで駆動連動棒が接続され、該連動棒の末端が微量の摩擦力を以て制御筒に結合され、また入紙口の一側と制御筒の間に送紙駆動棒の遅延駆動手段と、メイン回路に接続されたマイクロスイッチが設けられ、制御筒の端面に切欠きが設けられてマイクロスイッチを制御する弾性アームに対応しそれを制御し、制御筒の中間に突出する係止棒が設けられ、遅延駆動手段の係止駆動棒に対応しそれを制御し、制御筒のもう一辺に弾性押し板が設けられて回復駆動棒に対応しそれを制御し、このほか、遅延駆動手段のマイクロスイッチに接近する部分にスイッチ押しアームが設けられ、紙が挿入される時に遅延駆動手段の角度を改変してスイッチ押しアームがマイクロスイッチに接触することでマイクロスイッチがオンされる。紙の後端が挿入された後、遅延駆動手段が係止棒の駆動を受けて回復するが、マイクロスイッチは制御筒端面の押圧を受けて暫時離脱せず、制御筒が一周回転して弾性アームが切欠きに進入して駆動停止が達成される。
【０００３】
上述の駆動遅延停止装置は効果が良好であるが、部品数が多く、材料と組立コストが高く、高い製造コストのシュレッダーは現在の競争が激烈な市場では生存できない。このため構造を簡易化して生産コストを下げ、市場の価格要求に対応する必要がある。このため、いかに駆動遅延停止装置を改良して生産コストを下げつつ良好な使用機能を発揮できるようにするかが、研究開発上の重要な課題となっている。
【０００４】
このほか、伝統的な駆動遅延停止装置は上から下の入紙モード（ａｕｔｏ）に適用されるだけであり、機構の制限のために下から上の退紙モード（ｒｅｖ）には適用不能である。しかし、退紙モード操作のタイミングに使用者が紙容量の制限を超えた枚数の紙を入れてモータがロータリーシャフトの紙の引っ掛かり（ｊａｍ）により空転を発生し、モータ及びロータリーシャフトの回転速度低下のために正常な砕紙屑排出率が下がることがあり、このためロータリーシャフトの間の砕紙屑を駆動遅延停止装置の屑排出作用により排出して次の入紙時の順調性を確保できるようにする必要がある。
【０００５】
【特許文献１】米国特許第６，３０８，９０４号明細書
【考案の開示】
【考案が解決しようとする課題】
【０００６】
本考案の主要な目的は、一種のシュレッダーの気嚢式駆動遅延停止装置を提供し、伝統的な機構中の多くの欠点を無くして部品数を減らし組立を簡単とし、全体の製造コストを減らして市場での競争力を顕著に向上させることにある。
【０００７】
本考案の別の目的は、一種のシュレッダーの気嚢式駆動遅延停止装置を提供し、駆動遅延停止装置を入紙モードと退紙モードに共に適用可能とし、伝統的な技術における入紙モードのみにしか適用できないという欠点を解決し、駆動遅延停止装置の砕紙屑排出目的を更に完全に達成できるようにすることにある。
【課題を解決するための手段】
【０００８】
請求項１の考案は、シュレッダーの気嚢式駆動遅延停止装置において、該気嚢式駆動遅延停止装置は座体上に架設され並びにシュレッダー上カバー入紙口の下方内側に設けられ、該気嚢式駆動遅延停止装置はマイクロスイッチ、回転式駆動装置、押し板及び気嚢装置を具え、該回転式駆動装置は偏心軸で軸座に設置され、押し板の一端がマイクロスイッチのバネに嵌合され、別端が気嚢封閉端の接続頸部に嵌合され、押し板が回転式駆動装置の押動を受ける時、その一端がバネを駆動してマイクロスイッチを駆動し、もう一端が内向きに気嚢に対して加圧することを特徴とする、シュレッダーの気嚢式駆動遅延停止装置としている。
請求項２の考案は、請求項１記載のシュレッダーの気嚢式駆動遅延停止装置において、偏心軸で軸座に設置される回転式駆動装置の前後に凸部が形成されたことを特徴とする、気嚢式駆動遅延停止装置としている。
請求項３の考案は、請求項２記載のシュレッダーの気嚢式駆動遅延停止装置において、回転式駆動装置の前方の凸部が入紙口下方に位置し、後方の凸部が押し板外側辺に当接されたことを特徴とする、気嚢式駆動遅延停止装置としている。
請求項４の考案は、請求項１記載のシュレッダーの気嚢式駆動遅延停止装置において、気嚢装置が蛇腹管式機能、中空式ゴムプラグ及び膜片を具え、該中空式ゴムプラグがその頭部を以て気嚢シートの貫通孔内に設置され、該中空式ゴムプラグの管体が気嚢開放端の接続頸部に嵌合され、気嚢が中空式ゴムプラグと貫通孔を通して外界と空気流通管路を形成し、膜片が固定ピンで気嚢シートの貫通孔の外側に設置されて上述の空気流通管路を遮蔽することを特徴とする、気嚢式シュレッダーの駆動遅延停止装置としている。
【考案の効果】
【０００９】
本考案のシュレッダーの気嚢式駆動遅延停止装置は、伝統的な駆動遅延停止装置の多くの欠点を無くして部品数を減らし組立を簡単とし、全体の製造コストを減らして市場での競争力を顕著に向上させる。また、本考案の駆動遅延停止装置は入紙モードと退紙モードのいずれにも適用でき、伝統的な技術が僅かに入紙モードのみに適用可能であった欠点を改善し、紙屑排出の目的を更に完全に達成できる。
【考案を実施するための最良の形態】
【００１０】
本考案シュレッダーの気嚢式駆動遅延停止装置を提供し、該駆動遅延停止装置は座体上に架設され並びにシュレッダー上カバー入紙口の下方内側に設けられ、該駆動遅延停止装置はマイクロスイッチ、回転式駆動装置、押し板及び気嚢装置を具え、該回転式駆動装置は偏心軸で軸座に設置され、押し板の一端がマイクロスイッチのバネに嵌合され、別端が気嚢封閉端の接続頸部に嵌合され、押し板が回転式駆動装置の押動を受ける時、その一端がバネを駆動してマイクロスイッチを駆動し、もう一端が内向きに気嚢に対して加圧し、気嚢の空気を迅速に外向きに排出させ、マイクロスイッチのバネの回復弾力及び気嚢の圧縮後の回復力が回転式駆動装置を駆動する時、空気がゆっくりと気嚢に進入し、気嚢がもとの容積に回復する時間を延長し、バネのマイクロスイッチより離脱する時間を遅延してシュレッダーの駆動モータを続けて作動させて砕紙屑を排除させる。
【実施例１】
【００１１】
図１は本考案のシュレッダーの気嚢式駆動遅延停止装置の配置図、図２は本考案の立体外観図である。本考案のシュレッダーの気嚢式駆動遅延停止装置は、座体１上に架設され並びにシュレッダー上カバー２の入紙口２１の下方内側に設けられ、シュレッダー上カバー２の正面に伝統的な制御スイッチ２２が設けられ、該制御スイッチ２２は一般には入紙（ａｕｔｏ）、停止（ｏｆｆ）、及び退紙（ｒｅｖ）モードの三段式となっている。
【００１２】
図示されるように、該駆動遅延停止装置はマイクロスイッチ３、回転式駆動装置４、押し板５及び気嚢装置６を具え、該回転式駆動装置４は偏心軸４１で軸座１１に設置され、前後に三角凸部４２、４３が設けられ、前方の三角凸部４２が入紙口２１の下方に位置し、後方の三角凸部４３が押し板５の外側辺に当接され、該押し板５は図３の断面図に示されるように、その一端がマイクロスイッチ３のバネ３１に嵌合され、もう一端が気嚢封閉端の接続頸部６１１に嵌合され、押し板５が回転式駆動装置４の押動を受ける時、押し板５の一端がバネ３１を駆動してタッチスイッチ３２を駆動し、もう一端が内向きに気嚢装置６に対して加圧する。
【００１３】
図４は図３の４−４断面図である。気嚢装置６は蛇腹管式気嚢６１、中空式ゴムプラグ６２、及び膜片６３を具え、該中空式ゴムプラグ６２はその頭部で気嚢シートを貫通する貫通孔１２内に取付られ、その管体が気嚢６１の開放端の接続頸部６１２内に嵌合され、気嚢６１が中空式ゴムプラグ６２及び貫通孔１２と共に外界との空気流通管路を形成し、膜片６３は固定ピン６３１で気嚢シートの貫通孔１２の外側に設置され、上述の空気流通管路を遮蔽する作用を有する。
【００１４】
図５は本考案の入紙過程の実施例図である。紙が矢印Ｐの方向に入紙口２１に挿入され並びに入紙口２１下方の回転式駆動装置４の前方の三角凸部４２が駆動されると、回転式駆動装置４が偏心軸４１により矢印Ｂのように逆時計周りの回転を発生し、並びに回転式駆動装置４の特殊外形設計によりそれがカム効果を形成して押し板５に対して左向きの圧力を形成し、これにより気嚢６１が圧力を受けて左に収縮し、並びに気嚢６１内の空気が矢印ＡＩＲの方向に上述の空気流通管路を通り迅速に外向きに膜片６３を押し開いて排出され、これと同時に押し板５がバネ３１にタッチスイッチ３２を駆動させ、これによりシュレッダー駆動モータ（図示せず）が駆動されて砕紙作業が行なわれる。
【００１５】
図６は本考案の入紙完成の実施例図である。紙が完全に通過後、紙による回転式駆動装置４の前方の三角凸部４２との接触がなくなるため、マイクロスイッチのバネ３１の回復弾力及び気嚢６１の圧縮後の回復力により回転式駆動装置４が右向きに押動されて偏心軸４１により矢印Ｆに示される方向に時計回りに回転する。ただし膜片６３は気嚢シートの貫通孔１２の外側に設置されて空気流通管路を遮断する作用を有するため、空気はゆっくりと気嚢６１に吸収され、これにより気嚢６１の圧縮後の原状最大容積への回復にかかる時間が延長され、これによりバネのマイクロスイッチから離脱するタイミングが遅延され、これにより紙が完全に回転式駆動装置４の前方の三角凸部４２のタッチ駆動位置を通過しても、シュレッダー駆動モータ（図示せず）は短時間の回転を続けて砕紙屑を排出させる。
【００１６】
砕紙過程中に紙づまりの状況が発生して退紙モード操作を行なう時、一旦紙は入紙口上方に向けて抜き取られ、並びに紙は回転式駆動装置の前方の三角凸部４２の駆動位置より離脱し、該駆動遅延停止装置は前述の入紙モードの時と同様に、シュレッダー駆動モータを短時間続けて運転させ、紙屑排出の目的を達成する。
以上の実施例は本考案の権利請求範囲を限定するものではなく、本考案に基づきなしうる細部の修飾或いは改変は、いずれも本考案の請求範囲に属するものとする。
【図面の簡単な説明】
【００１７】
【図１】本考案の気嚢式駆動遅延停止装置の配置図である。
【図２】本考案の気嚢式駆動遅延停止装置の外観立体図である。
【図３】本考案の気嚢式駆動遅延停止装置の断面図である。
【図４】図３の４−４断面図である。
【図５】本考案の気嚢式駆動遅延停止装置の入紙過程の実施例図である。
【図６】本考案の気嚢式駆動遅延停止装置の入紙完成の実施例図である。
【符号の説明】
【００１８】
１  座体
１１  軸座
１２  貫通孔
２  上カバー
２１  入紙口
２２  制御スイッチ
３  マイクロスイッチ
３１  バネ
３２  スイッチ
４  回転式駆動装置
４１  偏心軸
４２、４３  三角凸部
５  押し板
６  気嚢装置
６１  気嚢
６１１、６１２  接続頸部
６２  中空式ゴムプラグ
６３  膜片
６３１  固定ピン
【図１】
0003106293.tif 000003
【図２】
0003106293.tif 000004
【図３】
0003106293.tif 000005
【図４】
0003106293.tif 000006
【図５】
0003106293.tif 000007
【図６】
0003106293.tif 000008